【手続補正書】
【提出日】平成24年6月27日(2012.6.27)
【手続補正１】
【補正対象書類名】特許請求の範囲
【補正対象項目名】全文
【補正方法】変更
【補正の内容】
【特許請求の範囲】
【請求項１】
情報検索装置による検索の結果である検索結果を表示する情報表示装置であって、
前記情報検索装置により検索された情報のうち１件以上の前記情報を示す検索結果情報を表示する検索結果表示手段と、
前記情報検索装置により検索された前記情報の前記検索結果としての表示の順番と、前記情報に関する所定の提示項目の値と、の関係を、前記情報検索装置により検索された全ての前記情報について示すグラフであり、前記順番が横軸に示され、且つ、前記提示項目の値が縦軸に示されるグラフを表示するグラフ表示手段と、
前記検索結果表示手段により表示されている前記検索結果情報が示す前記情報の範囲である表示範囲を、前記グラフに対する表示位置によって示す範囲指示情報を表示する範囲指示情報表示手段と、
を備えることを特徴とする情報表示装置。
【請求項２】
請求項１に記載の情報表示装置において、
前記検索結果表示手段は、前記情報検索装置により検索された情報を、前記情報のソート条件に従った表示の順番で１件以上示す前記検索結果情報を表示し、
前記グラフ表示手段は、前記ソート条件に従った表示の順番と、前記ソート条件によりソートの基準と定められた項目の値と、の関係を示す前記グラフを表示することを特徴とする情報表示装置。
【請求項３】
請求項１又は請求項２に記載の情報表示装置において、
前記表示範囲の変更操作を検出する変更操作検出手段を更に備え、
前記変更操作が前記変更操作検出手段により検出された場合、前記検索結果表示手段は、前記表示範囲を変更し、前記範囲指示情報表示手段は、変更後の前記表示範囲に基づいて、前記範囲指示情報の表示位置又は形状の少なくとも何れか一方を変化させることを特徴とする情報表示装置。
【請求項４】
請求項３に記載の情報表示装置において、
前記グラフにおける前記表示の順番の方向に移動操作が可能な操作部を表示する操作部表示手段を更に備え、
前記操作部を移動させる操作が前記変更操作検出手段により検出された場合、前記検索結果表示手段は、前記操作部の移動距離に応じて前記表示範囲を移動させ、前記範囲指示情報表示手段は、移動後の前記表示範囲に基づいて、前記範囲指示情報の表示位置を移動させることを特徴とする情報表示装置。
【請求項５】
請求項３又は請求項４に記載の情報表示装置において、
前記範囲指示情報は、前記表示範囲の先頭を示す先頭部と、前記表示範囲の末尾を示す末尾部と、を有し、
前記範囲指示情報表示手段は、前記先頭部を、前記グラフに対して前記表示範囲の先頭に対応する位置に表示し、前記末尾部を、前記グラフに対して前記表示範囲の末尾に対応する位置に表示し、
前記先頭部又は前記末尾部の何れか一方を移動させる操作が前記変更操作検出手段により検出された場合、前記検索結果表示手段は、前記変更操作検出手段により検出された前記先頭部及び末尾部の一方又は双方の移動に対応するように、前記表示範囲に含まれる前記情報の件数を変更することを特徴とする情報表示装置。
【請求項６】
請求項１乃至５の何れか１項に記載の情報表示装置において、
前記表示範囲に含まれる前記情報における前記提示項目の値の最小値と最大値とを表示する第１値表示手段を更に備えることを特徴とする情報表示装置。
【請求項７】
請求項１乃至６の何れか１項に記載の情報表示装置において、
前記情報検索装置により検索された前記情報全件の範囲での前記提示項目の値の最大値、平均値、及び前記情報検索装置により検索された前記情報の件数の少なくとも何れか１つを表示する第２値表示手段を更に備えることを特徴とする情報表示装置。
【請求項８】
請求項１乃至７の何れか１項に記載の情報表示装置において、
複数の提示項目の中から表示対象とする前記提示項目を選択するための選択手段を更に備え、
前記グラフ表示手段は、前記選択手段を用いて選択された前記提示項目についての前記グラフを表示することを特徴とする情報表示装置。
【請求項９】
情報検索装置による検索の結果である検索結果を表示する情報表示方法であって、
前記情報検索装置により検索された情報のうち１件以上の前記情報を示す検索結果情報を表示する検索結果表示工程と、
前記情報検索装置により検索された前記情報の前記検索結果としての表示の順番と、前記情報に関する所定の提示項目の値と、の関係を、前記情報検索装置により検索された全ての前記情報について示すグラフであり、前記順番が横軸に示され、且つ、前記提示項目の値が縦軸に示されるグラフを表示するグラフ表示工程と、
表示されている前記検索結果情報が示す前記情報の範囲である表示範囲を、前記グラフに対する表示位置によって示す範囲指示情報を表示する範囲指示情報表示工程と、
を有することを特徴とする情報表示方法。
【請求項１０】
情報検索装置による検索の結果である検索結果を表示する情報表示装置に含まれるコンピュータを、
前記情報検索装置により検索された情報のうち１件以上の前記情報を示す検索結果情報を表示する検索結果表示手段、
前記情報検索装置により検索された前記情報の前記検索結果としての表示の順番と、前記情報に関する所定の提示項目の値と、の関係を、前記情報検索装置により検索された全ての前記情報について示すグラフであり、前記順番が横軸に示され、且つ、前記提示項目の値が縦軸に示されるグラフを表示するグラフ表示手段、及び、
前記検索結果表示手段により表示されている前記検索結果情報が示す前記情報の範囲である表示範囲を、前記グラフに対する表示位置によって示す範囲指示情報を表示する範囲指示情報表示手段、
として機能させることを特徴とする情報表示プログラム。
【請求項１１】
端末装置からの要求に応じて、情報検索装置による検索の結果であり前記端末装置に表示させる検索結果を、ネットワークを介して前記端末装置に送信する情報提供装置であって、
前記情報検索装置により検索された情報のうち１件以上の前記情報を示す検索結果情報を前記端末装置に送信する検索結果情報送信手段と、
前記情報検索装置により検索された前記情報の前記検索結果としての表示の順番と、前記情報に関する所定の提示項目の値と、の関係を、前記情報検索装置により検索された全ての前記情報について示すグラフであり、前記順番が横軸に示され、且つ、前記提示項目の値が縦軸に示されるグラフを表示するためのグラフ表示情報を送信するグラフ表示情報送信手段と、
前記グラフに対して、前記検索結果情報が示す前記情報の範囲である表示範囲を示す位置に所定の範囲指示情報を表示するための範囲指示表示情報を送信する範囲指示表示情報送信手段と、
を備えることを特徴とする情報提供装置。
【請求項１２】
請求項１１に記載の情報提供装置において、
前記検索結果情報送信手段は、前記情報検索装置により検索された情報を、前記情報のソート条件に従った表示の順番で１件以上示す前記検索結果情報を送信し、
前記グラフ表示情報送信手段は、前記ソート条件に従った表示の順番と、前記ソート条件によりソートの基準と定められた項目の値と、の関係を示す前記グラフを表示するための前記グラフ表示情報を送信することを特徴とする情報提供装置。
【請求項１３】
請求項１１又は請求項１２に記載の情報提供装置において、
前記提示項目の値を前記情報毎に対応させて記憶する記憶手段と、
前記グラフ表示情報として、前記情報検索装置により検索された前記情報に対応する前記提示項目の値に基づいて、前記グラフを表す画像データを生成する画像データ生成手段と、を更に備え、
前記グラフ表示情報送信手段は、前記画像データ生成手段により生成された前記画像データを前記端末装置に送信することを特徴とする情報提供装置。
【請求項１４】
請求項１１乃至１３の何れか１項に記載の情報提供装置において、
前記検索結果情報送信手段は、前記検索結果情報、前記グラフ、及び前記範囲指示情報を表示するＷｅｂページの表示内容を規定するページデータを前記端末装置に送信することを特徴とする情報提供装置。
【請求項１５】
請求項１４に記載の情報提供装置において、
前記検索結果情報送信手段は、グラフィカルユーザーインターフェースにより前記表示範囲を変更操作するための操作部を表示させる前記ページデータを前記端末装置に送信することを特徴とする情報提供装置。
【請求項１６】
請求項１１乃至１５の何れか１項に記載の情報提供装置において、
前記範囲指示表示情報は、前記表示範囲を示す情報を含むことを特徴とする情報提供装置。
【請求項１７】
端末装置からの要求に応じて、情報検索装置による検索の結果であり前記端末装置に表示させる検索結果を、ネットワークを介して前記端末装置に送信する情報提供方法であって、
前記情報検索装置により検索された情報のうち１件以上の前記情報を示す検索結果情報を前記端末装置に送信する検索結果情報送信工程と、
前記情報検索装置により検索された前記情報の前記検索結果としての表示の順番と、前記情報に関する所定の提示項目の値と、の関係を、前記情報検索装置により検索された全ての前記情報について示すグラフであり、前記順番が横軸に示され、且つ、前記提示項目の値が縦軸に示されるグラフを表示するためのグラフ表示情報を送信するグラフ表示情報送信工程と、
前記グラフに対して、前記検索結果情報が示す前記情報の範囲である表示範囲を示す位置に所定の範囲指示情報を表示するための範囲指示表示情報を送信する範囲指示表示情報送信工程と、
を有することを特徴とする情報提供方法。
【請求項１８】
端末装置からの要求に応じて、情報検索装置による検索の結果であり前記端末装置に表示させる検索結果を、ネットワークを介して前記端末装置に送信する情報提供装置に含まれるコンピュータを、
前記情報検索装置により検索された情報のうち１件以上の前記情報を示す検索結果情報を前記端末装置に送信する検索結果情報送信手段、
前記情報検索装置により検索された前記情報の前記検索結果としての表示の順番と、前記情報に関する所定の提示項目の値と、の関係を、前記情報検索装置により検索された全ての前記情報について示すグラフであり、前記順番が横軸に示され、且つ、前記提示項目の値が縦軸に示されるグラフを表示するためのグラフ表示情報を送信するグラフ表示情報送信手段、及び、
前記グラフに対して、前記検索結果情報が示す前記情報の範囲である表示範囲を示す位置に所定の範囲指示情報を表示するための範囲指示表示情報を送信する範囲指示表示情報送信手段、
として機能させることを特徴とする情報提供プログラム。
【請求項１９】
端末装置と、前記端末装置からの要求に応じて情報を検索し、検索結果をネットワークを介して前記端末装置に送信する情報検索装置と、を備える情報検索システムであって、
前記情報検索装置は、
前記端末装置から送信された検索条件を受信する検索結果受信手段と、
前記検索条件を満たす前記情報を検索する検索手段と、
前記検索手段により検索された前記情報のうち１件以上の前記情報を示す検索結果情報を前記端末装置に送信する検索結果情報送信手段と、
前記検索手段により検索された前記情報の前記検索結果としての表示の順番と、前記情報に関する所定の提示項目の値と、の関係を、前記情報検索手段により検索された全ての前記情報について示すグラフであり、前記順番が横軸に示され、且つ、前記提示項目の値が縦軸に示されるグラフを表示するためのグラフ表示情報を送信するグラフ表示情報送信手段と、
前記グラフに対して、前記検索結果情報が示す前記情報の範囲である表示範囲を示す位置に所定の範囲指示情報を表示するための範囲指示表示情報を送信する範囲指示表示情報送信手段と、
を備え、
前記端末装置は、
前記検索条件を前記情報検索装置に送信する検索条件送信手段と、
前記情報検索装置から送信された前記検索結果情報、グラフ表示情報、及び前記範囲指示表示情報を受信する情報受信手段と、
前記検索結果情報を表示する検索結果表示手段と、
前記グラフ表示情報に基づいて、前記グラフを表示するグラフ表示手段と、
前記範囲指示表示情報に基づいて、前記グラフに対して前記表示範囲を示す位置に前記範囲指示情報を表示する範囲指示情報表示手段と、
を備えることを特徴とする情報検索システム。
【請求項２０】
請求項１９に記載の情報検索システムであって、
前記情報検索装置は、
前記提示項目の値を前記情報毎に対応させて記憶する記憶手段を更に備え、
前記グラフ表示情報送信手段は、前記情報検索手段により検索された前記情報に対応する前記提示項目の値を含む前記グラフ表示情報を送信し、
前記グラフ表示手段は、前記グラフ表示情報に含まれる前記提示項目の値に基づいて、前記グラフを表示することを特徴とする情報検索システム。
【請求項２１】
請求項１９に記載の情報検索システムであって、
前記情報検索装置は、
前記提示項目の値を前記情報毎に対応させて記憶する記憶手段と、
前記グラフ表示情報として、前記情報検索手段により検索された前記情報に対応する前記提示項目の値に基づいて、前記グラフを表す画像データを生成する画像データ生成手段と、
を更に備え、
前記グラフ表示手段は、前記画像データに基づいて、前記グラフの画像を表示することを特徴とする情報検索システム。
【手続補正２】
【補正対象書類名】明細書
【補正対象項目名】発明の名称
【補正方法】変更
【補正の内容】
【発明の名称】情報表示装置、情報表示方法、情報表示プログラム、情報提供装置、情報提供方法、情報提供プログラム、及び情報検索システム
【手続補正３】
【補正対象書類名】明細書
【補正対象項目名】０００６
【補正方法】変更
【補正の内容】
【０００６】
上記課題を解決するために、請求項１に記載の発明は、情報検索装置による検索の結果である検索結果を表示する情報表示装置であって、前記情報検索装置により検索された情報のうち１件以上の前記情報を示す検索結果情報を表示する検索結果表示手段と、前記情報検索装置により検索された前記情報の前記検索結果としての表示の順番と、前記情報に関する所定の提示項目の値と、の関係を、前記情報検索装置により検索された全ての前記情報について示すグラフであり、前記順番が横軸に示され、且つ、前記提示項目の値が縦軸に示されるグラフを表示するグラフ表示手段と、前記検索結果表示手段により表示されている前記検索結果情報が示す前記情報の範囲である表示範囲を、前記グラフに対する表示位置によって示す範囲指示情報を表示する範囲指示情報表示手段と、を備えることを特徴とする。
【手続補正４】
【補正対象書類名】明細書
【補正対象項目名】０００７
【補正方法】変更
【補正の内容】
【０００７】
この発明によれば、検索された情報１件以上の検索結果が情報表示装置に表示される。また、検索された情報の検索結果としての表示の順番と、所定の提示項目との関係を示すグラフが表示される。更に、グラフには範囲指示情報が表示される。従って、グラフに対する範囲指示情報の表示位置から、現在検索結果が表示されている範囲がどの範囲であるかをユーザが容易に知ることができる。また、グラフと範囲指示情報によって、所定の提示項目の値が所望の範囲にある情報が、現在検索結果が表示されている範囲以外に存在するか否かをユーザが容易に知ることができる。よって、検索結果として現在表示されている情報以外の情報についての検索結果を閲覧すべきか否かをユーザが容易に判断することもできる。
【手続補正５】
【補正対象書類名】明細書
【補正対象項目名】０００８
【補正方法】変更
【補正の内容】
【０００８】
また、現在検索結果が表示されている範囲が、検索結果全体の中でどの範囲を占めるかをユーザが容易に知ることができる。
【手続補正６】
【補正対象書類名】明細書
【補正対象項目名】０００９
【補正方法】変更
【補正の内容】
【０００９】
請求項２に記載の発明は、請求項１に記載の情報表示装置において、前記検索結果表示手段は、前記情報検索装置により検索された情報を、前記情報のソート条件に従った表示の順番で１件以上示す前記検索結果情報を表示し、前記グラフ表示手段は、前記ソート条件に従った表示の順番と、前記ソート条件によりソートの基準と定められた項目の値と、の関係を示す前記グラフを表示することを特徴とする。
【手続補正７】
【補正対象書類名】明細書
【補正対象項目名】００１０
【補正方法】変更
【補正の内容】
【００１０】
この発明によれば、単調増加又は単調減少のグラフが表示されるので、所定の提示項目の値が所望の範囲にある情報が検索結果の中でどの範囲に存在するかをユーザが容易に知ることができる。
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】変更
【補正の内容】
【００１２】
請求項３に記載の発明は請求項１又は請求項２に記載の情報表示装置において、前記表示範囲の変更操作を検出する変更操作検出手段を更に備え、前記変更操作が前記変更操作検出手段により検出された場合、前記検索結果表示手段は、前記表示範囲を変更し、前記範囲指示情報表示手段は、変更後の前記表示範囲に基づいて、前記範囲指示情報の表示位置又は形状の少なくとも何れか一方を変化させることを特徴とする。
【手続補正１０】
【補正対象書類名】明細書
【補正対象項目名】００１４
【補正方法】変更
【補正の内容】
【００１４】
請求項４に記載の発明は、請求項３に記載の情報表示装置において、前記グラフにおける前記表示の順番の方向に移動操作が可能な操作部を表示する操作部表示手段を更に備え、前記操作部を移動させる操作が前記変更操作検出手段により検出された場合、前記検索結果表示手段は、前記操作部の移動距離に応じて前記表示範囲を移動させ、前記範囲指示情報表示手段は、移動後の前記表示範囲に基づいて、前記範囲指示情報の表示位置を移動させることを特徴とする。
【手続補正１１】
【補正対象書類名】明細書
【補正対象項目名】００１６
【補正方法】変更
【補正の内容】
【００１６】
請求項５に記載の発明は、請求項３又は請求項４に記載の情報表示装置において、前記範囲指示情報は、前記表示範囲の先頭を示す先頭部と、前記表示範囲の末尾を示す末尾部と、を有し、前記範囲指示情報表示手段は、前記先頭部を、前記グラフに対して前記表示範囲の先頭に対応する位置に表示し、前記末尾部を、前記グラフに対して前記表示範囲の末尾に対応する位置に表示し、前記先頭部又は前記末尾部の何れか一方を移動させる操作が前記変更操作検出手段により検出された場合、前記検索結果表示手段は、前記変更操作検出手段により検出された前記先頭部及び末尾部の一方又は双方の移動に対応するように、前記表示範囲に含まれる前記情報の件数を変更することを特徴とする。
【手続補正１２】
【補正対象書類名】明細書
【補正対象項目名】００１８
【補正方法】変更
【補正の内容】
【００１８】
請求項６に記載の発明は、請求項１乃至５の何れか１項に記載の情報表示装置において、前記表示範囲に含まれる前記情報における前記提示項目の値の最小値と最大値とを表示する第１値表示手段を更に備えることを特徴とする。
【手続補正１３】
【補正対象書類名】明細書
【補正対象項目名】００１９
【補正方法】変更
【補正の内容】
【００１９】
この発明によれば、現在表示されている検索結果の範囲内における所定の提示項目の範囲を、ユーザが容易に知ることができる。
【手続補正１４】
【補正対象書類名】明細書
【補正対象項目名】００２０
【補正方法】変更
【補正の内容】
【００２０】
請求項７に記載の発明は、請求項１乃至６の何れか１項に記載の情報表示装置において、前記情報検索装置により検索された前記情報全件の範囲での前記提示項目の値の最大値、平均値、及び前記情報検索装置により検索された前記情報の件数の少なくとも何れか１つを表示する第２値表示手段を更に備えることを特徴とする。
【手続補正１５】
【補正対象書類名】明細書
【補正対象項目名】００２２
【補正方法】変更
【補正の内容】
【００２２】
請求項８に記載の発明は、請求項１乃至７の何れか１項に記載の情報表示装置において、複数の提示項目の中から表示対象とする前記提示項目を選択するための選択手段を更に備え、前記グラフ表示手段は、前記選択手段を用いて選択された前記提示項目についての前記グラフを表示することを特徴とする。
【手続補正１６】
【補正対象書類名】明細書
【補正対象項目名】００２３
【補正方法】変更
【補正の内容】
【００２３】
この発明によれば、ユーザが所望する提示項目についてのグラフを表示させることができる。
【手続補正１７】
【補正対象書類名】明細書
【補正対象項目名】００２４
【補正方法】変更
【補正の内容】
【００２４】
請求項９に記載の発明は、情報検索装置による検索の結果である検索結果を表示する情報表示方法であって、前記情報検索装置により検索された情報のうち１件以上の前記情報を示す検索結果情報を表示する検索結果表示工程と、前記情報検索装置により検索された前記情報の前記検索結果としての表示の順番と、前記情報に関する所定の提示項目の値と、の関係を、前記情報検索装置により検索された全ての前記情報について示すグラフであり、前記順番が横軸に示され、且つ、前記提示項目の値が縦軸に示されるグラフを表示するグラフ表示工程と、表示されている前記検索結果情報が示す前記情報の範囲である表示範囲を、前記グラフに対する表示位置によって示す範囲指示情報を表示する範囲指示情報表示工程と、を有することを特徴とする。
【手続補正１８】
【補正対象書類名】明細書
【補正対象項目名】００２５
【補正方法】変更
【補正の内容】
【００２５】
請求項１０に記載の発明は、情報検索装置による検索の結果である検索結果を表示する情報表示装置に含まれるコンピュータを、前記情報検索装置により検索された情報のうち１件以上の前記情報を示す検索結果情報を表示する検索結果表示手段、前記情報検索装置により検索された前記情報の前記検索結果としての表示の順番と、前記情報に関する所定の提示項目の値と、の関係を、前記情報検索装置により検索された全ての前記情報について示すグラフであり、前記順番が横軸に示され、且つ、前記提示項目の値が縦軸に示されるグラフを表示するグラフ表示手段、及び、前記検索結果表示手段により表示されている前記検索結果情報が示す前記情報の範囲である表示範囲を、前記グラフに対する表示位置によって示す範囲指示情報を表示する範囲指示情報表示手段、として機能させることを特徴とする。
【手続補正１９】
【補正対象書類名】明細書
【補正対象項目名】００２６
【補正方法】変更
【補正の内容】
【００２６】
請求項１１に記載の発明は、端末装置からの要求に応じて、情報検索装置による検索の結果であり前記端末装置に表示させる検索結果を、ネットワークを介して前記端末装置に送信する情報提供装置であって、前記情報検索装置により検索された情報のうち１件以上の前記情報を示す検索結果情報を前記端末装置に送信する検索結果情報送信手段と、前記情報検索装置により検索された前記情報の前記検索結果としての表示の順番と、前記情報に関する所定の提示項目の値と、の関係を、前記情報検索装置により検索された全ての前記情報について示すグラフであり、前記順番が横軸に示され、且つ、前記提示項目の値が縦軸に示されるグラフを表示するためのグラフ表示情報を送信するグラフ表示情報送信手段と、前記グラフに対して、前記検索結果情報が示す前記情報の範囲である表示範囲を示す位置に所定の範囲指示情報を表示するための範囲指示表示情報を送信する範囲指示表示情報送信手段と、を備えることを特徴とする。
【手続補正２０】
【補正対象書類名】明細書
【補正対象項目名】００２７
【補正方法】変更
【補正の内容】
【００２７】
この発明によれば、端末装置が、情報提供装置から受信した検索結果情報に基づいて、検索された情報１件以上の検索結果を表示する。また、端末装置が、情報提供装置から受信したグラフ表示情報に基づいて、検索された情報の検索結果としての表示の順番と、所定の提示項目との関係を示すグラフを表示する。更に、端末装置が、情報提供装置から受信した範囲指示表示情報に基づいて、前記グラフに対して検索結果の表示範囲を指し示す位置に範囲指示情報を表示する。ユーザは、グラフに対する範囲指示情報の表示位置から、現在検索結果が表示されている範囲がどの範囲であるかをユーザが容易に知ることができる。また、グラフと範囲指示情報によって、所定の提示項目の値が所望の範囲にある情報が、現在検索結果が表示されている範囲以外に存在するか否かをユーザが容易に知ることができる。よって、検索結果として現在表示されている情報以外の情報についての検索結果を閲覧すべきか否かをユーザが容易に判断することもできる。
【手続補正２１】
【補正対象書類名】明細書
【補正対象項目名】００２８
【補正方法】変更
【補正の内容】
【００２８】
また、検索された全件の情報についてのグラフが表示されるので、現在検索結果が表示されている範囲が、検索結果全体の中でどの範囲を占めるかをユーザが容易に知ることができる。
【手続補正２２】
【補正対象書類名】明細書
【補正対象項目名】００２９
【補正方法】変更
【補正の内容】
【００２９】
請求項１２に記載の発明は、請求項１１に記載の情報提供装置において、前記検索結果情報送信手段は、前記情報検索装置により検索された情報を、前記情報のソート条件に従った表示の順番で１件以上示す前記検索結果情報を送信し、前記グラフ表示情報送信手段は、前記ソート条件に従った表示の順番と、前記ソート条件によりソートの基準と定められた項目の値と、の関係を示す前記グラフを表示するための前記グラフ表示情報を送信することを特徴とする。
【手続補正２３】
【補正対象書類名】明細書
【補正対象項目名】００３０
【補正方法】変更
【補正の内容】
【００３０】
この発明によれば、単調増加又は単調減少のグラフが表示されるので、所定の提示項目の値が所望の範囲にある情報が検索結果の中でどの範囲に存在するかをユーザが容易に知ることができる。
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】変更
【補正の内容】
【００３２】
請求項１３に記載の発明は、請求項１１又は請求項１２に記載の情報提供装置において、前記提示項目の値を前記情報毎に対応させて記憶する記憶手段と、前記グラフ表示情報として、前記情報検索装置により検索された前記情報に対応する前記提示項目の値に基づいて、前記グラフを表す画像データを生成する画像データ生成手段と、を更に備え、前記グラフ表示情報送信手段は、前記画像データ生成手段により生成された前記画像データを前記端末装置に送信することを特徴とする。
【手続補正２６】
【補正対象書類名】明細書
【補正対象項目名】００３４
【補正方法】変更
【補正の内容】
【００３４】
請求項１４に記載の発明は、請求項１１乃至１３の何れか１項に記載の情報提供装置において、前記検索結果情報送信手段は、前記検索結果情報、前記グラフ、及び前記範囲指示情報を表示するＷｅｂページの表示内容を規定するページデータを前記端末装置に送信することを特徴とする。
【手続補正２７】
【補正対象書類名】明細書
【補正対象項目名】００３６
【補正方法】変更
【補正の内容】
【００３６】
請求項１５に記載の発明は、請求項１４に記載の情報提供装置において、前記検索結果情報送信手段は、グラフィカルユーザーインターフェースにより前記表示範囲を変更操作するための操作部を表示させる前記ページデータを前記端末装置に送信することを特徴とする。
【手続補正２８】
【補正対象書類名】明細書
【補正対象項目名】００３８
【補正方法】削除
【補正の内容】
【手続補正２９】
【補正対象書類名】明細書
【補正対象項目名】００３９
【補正方法】削除
【補正の内容】
【手続補正３０】
【補正対象書類名】明細書
【補正対象項目名】００４０
【補正方法】変更
【補正の内容】
【００４０】
請求項１６に記載の発明は、請求項１１乃至１５の何れか１項に記載の情報提供装置において、前記範囲指示表示情報は、前記表示範囲を示す情報を含むことを特徴とする。
【手続補正３１】
【補正対象書類名】明細書
【補正対象項目名】００４１
【補正方法】変更
【補正の内容】
【００４１】
請求項１７に記載の発明は端末装置からの要求に応じて、情報検索装置による検索の結果であり前記端末装置に表示させる検索結果を、ネットワークを介して前記端末装置に送信する情報提供方法であって、前記情報検索装置により検索された情報のうち１件以上の前記情報を示す検索結果情報を前記端末装置に送信する検索結果情報送信工程と、前記情報検索装置により検索された前記情報の前記検索結果としての表示の順番と、前記情報に関する所定の提示項目の値と、の関係を、前記情報検索装置により検索された全ての前記情報について示すグラフであり、前記順番が横軸に示され、且つ、前記提示項目の値が縦軸に示されるグラフを表示するためのグラフ表示情報を送信するグラフ表示情報送信工程と、前記グラフに対して、前記検索結果情報が示す前記情報の範囲である表示範囲を示す位置に所定の範囲指示情報を表示するための範囲指示表示情報を送信する範囲指示表示情報送信工程と、を有することを特徴とする。
【手続補正３２】
【補正対象書類名】明細書
【補正対象項目名】００４２
【補正方法】変更
【補正の内容】
【００４２】
請求項１８に記載の発明は、端末装置からの要求に応じて、情報検索装置による検索の結果であり前記端末装置に表示させる検索結果を、ネットワークを介して前記端末装置に送信する情報提供装置に含まれるコンピュータを、前記情報検索装置により検索された情報のうち１件以上の前記情報を示す検索結果情報を前記端末装置に送信する検索結果情報送信手段、前記情報検索装置により検索された前記情報の前記検索結果としての表示の順番と、前記情報に関する所定の提示項目の値と、の関係を、前記情報検索装置により検索された全ての前記情報について示すグラフであり、前記順番が横軸に示され、且つ、前記提示項目の値が縦軸に示されるグラフを表示するためのグラフ表示情報を送信するグラフ表示情報送信手段、及び、前記グラフに対して、前記検索結果情報が示す前記情報の範囲である表示範囲を示す位置に所定の範囲指示情報を表示するための範囲指示表示情報を送信する範囲指示表示情報送信手段、として機能させることを特徴とする。
【手続補正３３】
【補正対象書類名】明細書
【補正対象項目名】００４３
【補正方法】変更
【補正の内容】
【００４３】
請求項１９に記載の発明は、端末装置と、前記端末装置からの要求に応じて情報を検索し、検索結果をネットワークを介して前記端末装置に送信する情報検索装置と、を備える情報検索システムであって、前記情報検索装置は、前記端末装置から送信された検索条件を受信する検索結果受信手段と、前記検索条件を満たす前記情報を検索する検索手段と、前記検索手段により検索された前記情報のうち１件以上の前記情報を示す検索結果情報を前記端末装置に送信する検索結果情報送信手段と、前記検索手段により前記情報検索装置により検索された前記情報の前記検索結果としての表示の順番と、前記情報に関する所定の提示項目の値と、の関係を、前記情報検索手段により検索された全ての前記情報について示すグラフであり、前記順番が横軸に示され、且つ、前記提示項目の値が縦軸に示されるグラフを表示するためのグラフ表示情報を送信するグラフ表示情報送信手段と、前記グラフに対して、前記検索結果情報が示す前記情報の範囲である表示範囲を示す位置に所定の範囲指示情報を表示するための範囲指示表示情報を送信する範囲指示表示情報送信手段と、を備え、前記端末装置は、前記検索条件を前記情報検索装置に送信する検索条件送信手段と、前記情報検索装置から送信された前記検索結果情報、グラフ表示情報、及び前記範囲指示表示情報を受信する情報受信手段と、前記検索結果情報を表示する検索結果表示手段と、前記グラフ表示情報に基づいて、前記グラフを表示するグラフ表示手段と、前記範囲指示表示情報に基づいて、前記グラフに対して前記表示範囲を示す位置に前記範囲指示情報を表示する範囲指示情報表示手段と、を備えることを特徴とする。
【手続補正３４】
【補正対象書類名】明細書
【補正対象項目名】００４４
【補正方法】変更
【補正の内容】
【００４４】
この発明によれば、端末装置が、情報提供装置から受信した検索結果情報に基づいて、検索された情報１件以上の検索結果を表示する。また、端末装置が、情報提供装置から受信したグラフ表示情報に基づいて、検索された情報の検索結果としての表示の優先順位と、所定の提示項目との関係を示すグラフを表示する。更に、端末装置が、情報提供装置から受信した範囲指示表示情報に基づいて、前記グラフに対して検索結果の表示範囲を指し示す位置に範囲指示情報を表示する。ユーザは、グラフに対する範囲指示情報の表示位置から、現在検索結果が表示されている範囲がどの範囲であるかをユーザが容易に知ることができる。また、グラフと範囲指示情報によって、所定の提示項目の値が所望の範囲にある情報が、現在検索結果が表示されている範囲以外に存在するか否かをユーザが容易に知ることができる。よって、検索結果として現在表示されている情報以外の情報についての検索結果を閲覧すべきか否かをユーザが容易に判断することもできる。
【手続補正３５】
【補正対象書類名】明細書
【補正対象項目名】００４５
【補正方法】変更
【補正の内容】
【００４５】
請求項２０に記載の発明は、請求項１９に記載の情報検索システムであって、前記情報検索装置は、前記提示項目の値を前記情報毎に対応させて記憶する記憶手段を更に備え、前記グラフ表示情報送信手段は、前記情報検索手段により検索された前記情報に対応する前記提示項目の値を含む前記グラフ表示情報を送信し、前記グラフ表示手段は、前記グラフ表示情報に含まれる前記提示項目の値に基づいて、前記グラフを表示することを特徴とする。
【手続補正３６】
【補正対象書類名】明細書
【補正対象項目名】００４６
【補正方法】変更
【補正の内容】
【００４６】
この発明によれば、端末装置が、情報提供装置から受信した所定の提示項目の値に基づいてグラフを表示するので、情報提供装置の処理負担を軽減することができる。
【手続補正３７】
【補正対象書類名】明細書
【補正対象項目名】００４７
【補正方法】変更
【補正の内容】
【００４７】
請求項２１に記載の発明は、請求項１９に記載の情報検索システムであって、前記情報検索装置は、前記提示項目の値を前記情報毎に対応させて記憶する記憶手段と、前記グラフ表示情報として、前記情報検索手段により検索された前記情報に対応する前記提示項目の値に基づいて、前記グラフを表す画像データを生成する画像データ生成手段と、を更に備え、前記グラフ表示手段は、前記画像データに基づいて、前記グラフの画像を表示することを特徴とする。
【手続補正３８】
【補正対象書類名】明細書
【補正対象項目名】００４９
【補正方法】変更
【補正の内容】
【００４９】
本発明によれば、グラフに対する範囲指示情報の表示位置から、現在検索結果が表示されている範囲がどの範囲であるかをユーザが容易に知ることができる。また、現在検索結果が表示されている範囲が、検索結果全体の中でどの範囲を占めるかをユーザが容易に知ることができる。